(57)【要約】【課題】  火災発生時の火炎熱や輻射熱を自動的に遮熱することができるサッシ用遮熱装置を提供する。【解決手段】  サッシ用遮熱装置１は、サッシの上部に設置された収納庫４と、この収納庫４内に折り畳まれて収納されるとともに一端側を収納庫４に固着した耐熱性を有する不燃シート５と、この不燃シート５の他端側に固着された重り６と、この重り６の中央部と収納庫４との間に設置され、常時は重り６を収納庫４の近傍位置に垂下する温度ヒューズ７と、サッシの左右両側に設けられて重り６の上下動をガイドするガイドレール８ａとを備え、温度ヒューズ７が所定温度に加熱されたときに溶断して重り６の自重による落下によって不燃シート５が前記サッシ全面を覆う。【選択図】  図１
2014227781.tif 000002
【特許請求の範囲】
【請求項１】
サッシの上部に設置された収納庫と、
この収納庫内に折り畳まれて収納されるとともに一端側を前記収納庫に固着した耐熱性を有する不燃シートと、
この不燃シートの他端側に固着された重りと、
この重りと前記収納庫との間に設置され、常時は前記重りを前記収納庫の近傍位置に吊り下げる温度ヒューズと、
前記サッシの左右両側に設けられて前記重りの落下移動をガイドするガイドレールとを備え、
前記温度ヒューズが所定温度に加熱されたときに溶断して前記重りの自重による落下によって前記不燃シートが前記サッシ全面を覆うことを特徴とするサッシ用遮熱装置。
【請求項２】
不燃シートの他端側に固着された重りと収納庫との間には、温度ヒューズと併設して安全帯を設けた請求項１に記載のサッシ用遮熱装置。
【請求項３】
不燃シートを収納する収納庫はサッシの上部に突出して設置された庇の上部カバーと下部カバーとの間に設置され、前記上部カバーはサッシの上部に固定され、前記下部カバーは前端側が前記上部カバーの前端側に設置した温度ヒューズに連結されるとともに、後端側がガイドワイヤーに連結され、前記不燃シートは一端側を前記上部カバーの端側に固着されるとともに他端側を前記下部カバーに固着され、前記温度ヒューズが溶断したとき、重りとしての前記下部カバーの自重による落下によって前記不燃シートが前記サッシ全面を覆うようにした請求項１に記載のサッシ用遮熱装置。
【請求項４】
上部カバーの後端側に連結したガイドワイヤーの他端には駒が設けられ、この駒をサッシの両側に設けたガイドレールに移動可能に係合させた請求項４に記載のサッシ用遮熱装置。
【請求項５】
不燃シートの表面に加熱膨張シートを付設した請求項１及び３に記載のサッシ用遮熱装置。
【発明の詳細な説明】
【技術分野】
【０００１】
本発明は、建築物の延焼等を防止するためのサッシ用遮熱装置に関し、詳しくは、火災発生時の火炎熱や輻射熱を自動的に遮熱するためのサッシ用遮熱装置に関する。
【背景技術】
【０００２】
従来から、近隣から火災が発生した場合に、延焼を阻止するための防災手段が講じられている。特に、耐火建築物、準耐火建築物や防火地域または準防火地域にある建築物においては、建築基準法、建築基準法施行令、建設省告示等で、延焼のおそれのある外壁の開口部について、炎を遮り延焼を防止するために、防火戸（防火設備）の使用が義務づけられている。防火設備は大きく、防火サッシと防火シャッターに分けられる。通常、防火サッシに使用されるガラスは、耐火試験による加熱２０分、かつ加熱後の衝撃において割れない低膨張防火ガラス、耐熱強化ガラスおよび耐熱結晶化ガラスを用いるようになっている。しかしながら、耐熱性を有するガラスを用いて閉鎖状態を保持した場合であっても、容易に輻射熱が室内に侵入し、室内温度の上昇、カーテンや内装材の発火、発煙等、非難活動に支障をきたしている。
また、サッシの多くは、構造体がアルミニウムや樹脂または木材でできているため、火災時の熱による強度の低下、変形、溶融または燃焼が生じることから、２０分を超えての火炎の侵入を防ぐことは難しいのが現状である。
【０００３】
このような現状から、サッシの構造体のアルミや樹脂或いは木部が焼け落ちてしまうことを阻止するために、単独で防火性能を備えた防火用のシャッターを設けることが提案されている。例えば、特開平９−３２４３７号公報（特許文献１）には、壁に形成された開口部の内周に取り付けられるサッシ枠の外周に配置されるシャッターを配置することが開示されている。
【０００４】
また、特開平７−３０５５７４号公報（特許文献２）には、天井もしくは窓上の軒下に取り付けた収納ケースに、下部に重りを取り付けた防火幕を収納し、使用時にはストッパーを外して重りの重みで防火幕を開いて間仕切壁をつくることが開示されている。
【先行技術文献】
【特許文献】
【０００５】
【特許文献１】特開平９−３２４３７号公報
【特許文献２】特開平７−３０５５７４号公報
【発明の概要】
【発明が解決しようとする課題】
【０００６】
上述した特許文献１及び特許文献２は、シャッター或いは防火幕を窓等に覆うことにより、炎を遮り延焼を防止することが可能となる。しかしながら、このような防災手段は、近隣から発生した火災を発見した後に操作するため、発見が遅れた場合には、延焼を阻止することができない問題がある。特許文献２には、スプリンクラー等の非常装置と同時に作動させることが開示されているが、通常の場合、スプリンクラーは屋内に設置されるため、屋内に炎が到来してから作動することから、延焼の場合には、作動が遅れて避難するための時間が短くなる重大な問題がある。
【０００７】
本発明が解決しようとする課題は、火災発生時の火炎熱や輻射熱を不燃シートによって自動的に遮熱し、ガラスから屋内への輻射熱の侵入やサッシ構造体の温度上昇による強度不足を防止することができるサッシ用遮熱装置を提供することにある。
【課題を解決するための手段】
【０００８】
そこで、本発明によるサッシ用遮熱装置は、サッシの上部に設置された収納庫と、この収納庫内に折り畳まれて収納されるとともに一端側を前記収納庫に固着した耐熱性を有する不燃シートと、この不燃シートの他端側に固着された重りと、この重りと前記収納庫との間に設置され、常時は前記重りを前記収納庫の近傍位置に垂下する温度ヒューズと、前記サッシの左右両側に設けられて前記重りの上下動をガイドするガイドレールとを備え、前記温度ヒューズが所定温度に加熱されたときに溶断して前記重りの自重による落下によって前記不燃シートが前記サッシ全面を覆うことを要旨としている。
【０００９】
また、不燃シートの他端側に固着された重りと収納庫との間には、温度ヒューズと併設して安全帯を設けることが望ましい。
【００１０】
さらに、不燃シートを収納する収納庫は、サッシの上部に突出して設置された庇の上部カバーと下部カバーとの間に設置され、前記上部カバーはサッシの上部に固定され、前記下部カバーは前端側が前記上部カバーの前端側に設置した温度ヒューズに連結されるとともに、後端側がガイドワイヤーに連結され、前記不燃シートは一端側を前記上部カバーの端側に固着されるとともに他端側を前記下部カバーに固着され、前記温度ヒューズが溶断したとき、重りとしての前記下部カバーの自重による落下によって前記不燃シートが前記サッシ全面を覆うようにしても良い。
【００１１】
収納庫をサッシの上部に突出して設置された庇の内部に設置するとき、上部カバーの後端側に連結したガイドワイヤーの他端に駒を設け、この駒をサッシの両側に設けたガイドレールに移動可能に係合させるようにしても良い。
【００１２】
また、不燃シートの表面には、加熱膨張シートを付設することが望ましい。
【発明の効果】
【００１３】
本発明によれば、温度ヒューズが所定温度に加熱されたときに溶断し、不燃シートの他端側に固着された重りが自重により落下することにより不燃シートがサッシ全面を覆うので、近隣から火災が発生した場合に、不燃シートが火炎熱や輻射熱を自動的に遮熱して延焼を阻止することができる。また、防火サッシとしてのサッシの構造体、ガラスが加熱により２０分以上耐えられない場合であっても、不燃シートによって構造体への火炎熱が低減するので、構造体の変形、溶融または発火が遅延できる。また、ガラスから侵入する輻射熱を遮熱して室内温度の上昇、カーテンや内装材の発火或いは発煙等を遅らせることから、２０分以上の耐久時間を確保することができるので、火災発生時の避難時間が長くなることによって、被災者の人命を救済することが可能となる。一方、屋内側に設置した場合には、屋内から火災が発生したときに、近隣への延焼を遅らせることができる。また、重りは、温度ヒューズによって中央部が垂下され、左右両側がガイドレールによってガイドされているので、重りのバランスが保たれることから、温度ヒューズが所定温度まで加熱されて溶断したときに、自重によって円滑に下降させることができる。
【００１４】
また、不燃シートの他端側に固着された重りと収納庫との間に、安全帯を温度ヒューズに併設することにより、火災以外のときに温度ヒューズが金属疲労等によって切断して重りが落下する場合にも、安全帯が安全装置として作動するので、落下による事故を未然に防止することができる。
【００１５】
不燃シートを収納する収納庫を、サッシの上部に突出して設置された庇に設置することにより、サッシに雨よけや日よけ等の機能を付加することができる他、庇を上部カバーと下部カバーによって構成し、この間を収納庫として設置されるので、サッシの高さを短尺にすることが可能となる。さらに、下部カバーを重りとしているので、構成が簡素とすることが可能となる。下部カバーにガイドワイヤーを連結することにより、自重による落下を規制することができる。
【００１６】
ガイドワイヤーの他端に駒を設け、この駒をサッシの両側に設けたガイドレールに移動可能に係合させることにより、簡素な構成でガイド機能を持たせることが可能となる。
【００１７】
不燃シートの表面に加熱膨張シートを付設することにより、加熱膨張シートの加熱膨張材が火炎熱や輻射熱によって膨張し、不燃シートの遮熱作用に加えて、ガラスから侵入する輻射熱を遮熱するので、室内温度の上昇、カーテンや内装材の発火或いは発煙等をさらに遅らせて、火災発生時の避難時間を延長させることが可能となり、被災者の人命を救済することが一層容易になる。
【図面の簡単な説明】
【００１８】
【図１】本発明によるサッシ用遮熱装置の実施例を示す斜視図である。
【図２】図１に示すサッシ用遮熱装置を示す側断面図である。
【図３】図２に示すサッシ用遮熱装置のＡ−Ａ断面図である。
【図４】図２に示すサッシ用遮熱装置のＢ−Ｂ断面図である。
【図５】サッシ用遮熱装置の通常時の状態を示す正面図である。
【図６】サッシ用遮熱装置の温度ヒューズが溶断した状態を示す正面図である。
【図７】サッシ用遮熱装置の不燃シートがサッシ全面を覆った状態を示す正面図である。
【図８】サッシ用遮熱装置を庇に設置した状態を示す側断面図である。
【図９】温度ヒューズが溶断した状態を示す側断面図である。
【図１０】下部カバーが落下してストッパーに当接した状態を示す側断面図である。
【図１１】図１０に示すサッシ用遮熱装置のＣ−Ｃ断面図である。
【発明を実施するための形態】
【００１９】
本発明によるサッシ用遮熱装置は、サッシの上部に設置された収納庫と、この収納庫内に折り畳まれて収納されるとともに一端側を前記収納庫に固着した耐熱性を有する不燃シートと、この不燃シートの他端側に固着された重りと、この重りと前記収納庫との間に設置され、常時は前記重りを前記収納庫の近傍位置に垂下する温度ヒューズと、前記サッシの左右両側に設けられて前記重りの上下動をガイドするガイドレールとを備えている。そして、前記温度ヒューズが所定温度に加熱されたときに溶断し、前記重りの自重による落下によって前記サッシ全面が前記不燃シートによって覆われるようにしている。
【００２０】
以下、図面に基づいて本発明の実施例を詳細に説明する。図１乃至図２は、本発明によるサッシ用遮熱装置の実施例を示している。図示のサッシは、アルミニウム複合木製サッシを例示し、アルミニウムと木材の組み合わせからなる窓枠１と、アルミニウムと木材によって形成された障子２から構成された縦滑り出し型のサッシである。障子２には、複層ガラス２ａが設けられている。このガラスは、耐熱板ガラスを組み入れた複層ガラスや合わせガラス、防火フィルムを貼ったガラスを用いることが望ましい。また、窓枠１は四角形に形成され、全体としては材質をアルミニウムと木材としているが、図示上方のサッシ上枠１ａと、図示下方のサッシ下枠１ｂ、サッシ縦枠８など、窓枠１と障子２の外部に面する部分全てをアルミニウム製としている。これは、強度確保または腐食防止等を目的としているが、木材に変えても良い。
【００２１】
サッシの上部のサッシ上枠１ａには、サッシ用遮熱装置３が一体に設けられている。このサッシ用遮熱装置３は、収納庫４と、収納庫４に収納される不燃シート５と、不燃シート５の他端側に固着される重り６と、重り６を垂下する温度ヒューズ７と、重り６の下降をガイドするサッシ縦枠８に設けたガイドレール８ａと、サッシの下部のサッシ下枠１ｂに設けられたストッパー９から構成されている。
【００２２】
収納庫４は、サッシ上枠１ａに形成され、断面が略コ字状となっていて、図示左方の外側が開放された空間が形成されている。この空間には不燃シート５が収納されている。不燃シート５は、例えば、０．３５ｍｍの厚さとした耐熱性能を有するガラスクロスが使用される。不燃シート５としては、その他、消防隊員が着用する防火衣に使用されるケブラー及びザイロンという特殊な化学繊維、或いは、アラミド繊維やグラスファイバーにアルミをコーティング、または、シリカクロスやバサルトシートであっても良い。これらのシートは、防火衣の耐熱性能と同様に、図示左方側の表面に８０キロワット／平方メートルの熱量（約摂氏１０００度）を受けた場合、図示右方の室内側の温度が２４度上昇するまでに１３秒以上確保できる耐熱性能を有している。
【００２３】
この不燃シート５は、単体でも十分な耐熱性能を有するが、さらに遮熱性能を向上させるためには、不燃シート５の表面に加熱膨張シートを付設しても良い。この加熱膨張シートは、セラミック繊維等の無機繊維と、熱膨張性黒鉛等の熱膨張性無機物と、熱可塑性樹脂類、熱硬化性樹脂類、或いは、ゴム類からなる無機質バインダーを主成分として配合した熱膨張性無機質材料をシート状に形成した市販の加熱膨張シートである。加熱膨張シートは、通常時の厚さを１〜数ｍｍとした可撓性を有するシートであり、例えば摂氏１４０度〜２００度に加熱した場合には、厚さ方向が約５倍から４０倍に膨張することにより遮熱する機能を有している。
【００２４】
そして、不燃シート５のサッシ側の一方の表面に、加熱膨張シートを接着、粘着、または縫合等の適宜の固定手段によって一体に付設される。なお、加熱膨張シートは、不燃シート５の外側の他方の表面、或いは、両面に付設しても良い。また、加熱膨張シートは、不燃シート５の全面で無くとも、サッシ側表面の両側のみに付設し、不燃シート５の側方から侵入する火炎熱や輻射熱を遮熱するようにしても良い。
【００２５】
この様な不燃シート５は、サッシ上枠１ａからサッシ下枠１ｂまでの長さに設定され、図２に示すように、九十九折状に折り畳まれて収納庫４に収納されている。この不燃シート５の幅は、ほぼ窓枠１の幅に設定されている。また、不燃シート５の一端側は、折り畳まれた状態の底面から導出され、その先端は、サッシ上枠１ａに固定され、他端側は、折り畳まれた状態の上面から導出されて重り６に固着されている。
【００２６】
重り６は、所定重量を有するとともに、耐熱性を有する例えば金属板により形成され、その幅は、不燃シート５と同じ幅に設定されている。そして、重り６の幅方向の中央部には、温度ヒューズ７の下側が固定されている。
【００２７】
温度ヒューズ７は、周知のように、所定温度に達したときに感熱部の可溶合金が溶断するものであり、溶断温度を摂氏１２０度に設定されている。なお、この温度ヒューズ７の溶断温度は、適宜に変更しても良い。また、温度ヒューズ７は、重り６の重量以上の耐荷重を有している。そして、この温度ヒューズ７の上側は、サッシ上枠１ａから突出させた上部カバー１ｃに固定されている。上部カバー１ｃは、略Ｌ字状に形成され、サッシ上枠１ａの上面から外側に突出するように取り付けられている。この略Ｌ字状の内側に温度ヒューズ７の上側が固定される。
【００２８】
一方、サッシ下枠１ｂには、ストッパー９が設けられた外側に突出するように取り付けられている。このストッパー９は、重り６が下降したときに当接させることにより、重り６の下端位置を規制するようになっている。なお、ストッパー９は、不燃シート５の引っ張り強度が十分に大きい材質の場合には設けなくても良い。
【００２９】
また、窓枠１の左右両側のサッシ縦枠８には、図３及び図４に示すように、重り６が下降するときの移動をガイドするように一対のガイドレール８ａが設けられている。左右に設けられたガイドレール８ａは、対向側が開口されるとともに、開口が幅狭に形成されている。一方、重り６の両側には、各々案内片６ａを突出させていて、この案内片６ａの先端部は略Ｌ字状に形成している。そして、図３の円で示す部分拡大図のように、案内片６ａの略Ｌ字状の先端部をガイドレール８ａの内部に挿通することにより、ガイドレール８ａの開口が幅狭に形成されていることから、重り６の左右方向への離脱を阻止するようにしている。
【００３０】
なお、図示の実施例においては、ガイドレール８ａをサッシ縦枠８に設けているが、サッシ縦枠８に隣接する建築構造体に設けても良い。
【００３１】
重り６には、図２に示すように、安全装置としての安全帯１０が連結されている。この安全帯１０は、ロープ状またはベルト状に形成され、安全帯１０の一端は、温度ヒューズ７の上側と共にサッシ上枠１ａに取り付けられている。また、安全帯１０の他端は、重り６に取り付けられたワイヤー１１の中央部に止着されている。ワイヤー１１は、例えばステンレス等の溶融温度が高い金属線が使用される。そして、図６に示すように、ワイヤー１１は、重り６にたるみを持たせて取り付けられ、中央部に安全帯１０を止着したとき山型になるようにしている。安全帯１０は、溶断温度が前述した温度ヒューズ７の溶断温度よりも高い、例えば摂氏１５０度に設定されている。これら安全帯１０とワイヤー１１は、常時は、図２に示すように、収納庫４の上側に収納されている。
【００３２】
次に、本発明によるサッシ用遮熱装置の動作について説明する。通常時は、図５に示すように、重り６が温度ヒューズ７によって垂下され、折り畳まれた不燃シート５は、収納庫４に収納されている。また、重り６は、左右に設けられたガイドレール８ａに係合されている。
【００３３】
近隣から火災が発生したとき、火炎熱や輻射熱によって温度ヒューズ７が溶断温度である摂氏１２０度に達すると、感熱部の可溶合金が溶断する。これにより、図６に示すように、重り６が自由状態になり自重によって図示の下方に落下するとともに、収納庫４に収納されていた不燃シート５が引き出される。重り６が落下するとともにロープ１０とワイヤー１１が引き出されることから、図６に示すように、重り６がロープ１０によって吊り下げられて一旦は安全装置が作動する。この安全装置は、火災以外のときに温度ヒューズ７が溶断、或いは、金属疲労等が原因で切断した場合に、重り６の落下による予期せぬ事故を未然に防止するために設けられている。
【００３４】
その後、火災による火炎熱や輻射熱がロープ１０の溶断温度である摂氏１５０度に達するとロープ１０が溶断する。これにより、図７に示すように、重り６がガイドレール８ａにガイドされながら自重によって図示の下方に落下するとともに不燃シート５が収納庫４から引き出され、重り６がストッパー９に到達して停止する。これにより、サッシの窓枠１の全面が不燃シート５によって覆われる。
【００３５】
不燃シート５は、前述した素材を使用した場合には、例えば摂氏１０００度の熱量を受けた場合であっても、複層ガラス２ａの表面温度が摂氏２４度上昇するまでに１３秒以上確保できる耐熱性能を有している。一方、防火戸に適合するサッシの場合は、加熱２０分で割れないガラスとされていることから、火炎等によりガラスが割れて屋内に火炎が入るまでの時間、輻射熱による内部の温度上昇、発煙、発火、及びサッシ枠、障子の構造体の強度低下までの時間が、不燃シート５によって覆うことにより１０分程度は延長することになる。この結果、屋内に被災者がいたとしても、約３０分の避難時間が確保されることになり、人命を守ることが可能となる。また、不燃シート５の表面に加熱膨張シートを一体に付設した場合には、火炎熱や輻射熱によって膨張し、不燃シート５の遮熱作用に加えて、ガラスから侵入する輻射熱を遮熱するので、室内温度の上昇、カーテンや内装材の発火或いは発煙等をさらに遅らせることができる。このため、火災発生時の避難時間を延長させることが可能となり、被災者の人命を救済することが一層容易になる。
【００３６】
図８は、本発明によるサッシ用遮熱装置の他の実施例を示している。なお、図１、図２と同符号は同一部品を示し、その詳細な説明は省略する。サッシの上部のサッシ上枠１ａには、庇２０が屋外となる外側に向けて設置されている。庇２０は、図示上方の上部カバー２１と下部カバー２２によって構成され、上部カバー２１と下部カバー２２との間に形成される空間に収納庫２３を形成している。
【００３７】
収納庫２３の内部には、不燃シート５が九十九折状に折り畳まれて収納されている。この不燃シート５の幅は、少なくとも窓枠１の幅に設定されるが、庇２０の幅が窓枠１の幅よりも大きい場合は、ほぼ庇２０の幅に設定することが好ましい。また、不燃シート５の一端側は、折り畳まれた状態上底面から導出されて上部カバー２１の基部に固定され、他端側は、折り畳まれた状態の下面から導出されて下部カバー２２に固着されている。
【００３８】
下部カバー２２は、図示左方の前端側が上部カバー２１の前端側に設置した温度ヒューズ７に連結されている。温度ヒューズ７は、下部カバー２２の前端側を吊り下げるための重量以上の耐荷重を有している。そして、この温度ヒューズ７の上側は、上部カバー２１の前端側に固定されている。また、下部カバー２２の後端側は、サッシの上部のサッシ上枠１ａの上面に載置されるとともに、ガイドワイヤー２４の一端側に連結されている。なお、上部カバー２１と下部カバー２２の間には、前述した実施例と同様に、安全装置としての安全帯（図示しない）が連結されている。
【００３９】
ガイドワイヤー２４は、摂氏８００度以上の耐熱性を有するワイヤーまたは針金等の金属線によって形成され、両端には各々駒２４ａが固着されている。そして、駒２４ａの一方側を下部カバー２２の後端側に固定し、図１１に示すように、一方側をサッシの縦枠２５には溝を形成したガイドレール２５ａに係合させている。ガイドレール２５ａは、駒２４ａの大きさよりも小さい開口を有し、下部カバー２２の落下方向には自在に移動するが横方向には離脱しないように形成されている。
【００４０】
なお、ガイドレールは、縦枠２５に形成した溝以外に別個のガイドレール部材を取り付けても良い。また、ガイドレール２５ａに係合する駒２４ａ及びガイドワイヤー２４は、不燃シート５の上下方向に複数個設け、周知の窓カーテンのように、不燃シート５を複数個所で支持しても良い。このように、カーテンレール式に支持することにより、不燃シート５が火炎風等によってサッシから離間して隙間が生じ、その隙間から火炎熱や輻射熱がサッシに侵入することを防止することが可能となる。
【００４１】
縦枠２５に形成したガイドレール２５ａには、図１０に示すように、ストッパー２６が設けられている。このストッパー２６に位置は、下部カバー２２の後端側がサッシ下枠１ｂの近傍に達するように設定されている。なお、ストッパー２６は、不燃シート５の引っ張り強度が十分に大きい材質の場合には設けなくても良い。
【００４２】
次に、本発明によるサッシ用遮熱装置の他の実施例における動作について説明する。通常時は、図８に示すように、下部カバー２２の前端側が温度ヒューズ７によって連結されて吊り下げられ、上部カバー２１と下部カバー２２との間に形成された収納庫２３の内部に不燃シート５が折り畳まれて収納されている。この不燃シート５は、前述した実施例と同様に、表面に加熱膨張シートを一体に付設したものであっても良い。
【００４３】
近隣から火災が発生したとき、火炎熱や輻射熱によって温度ヒューズ７が溶断温度である摂氏１２０度に達すると、感熱部の可溶合金が溶断する。これにより、図８の点線で示すように、下部カバー２２の後端側を回転中心として前端側が落下する。このとき、下部カバー２２の後端側にはガイドワイヤー２４の一端側が連結され、このガイドワイヤー２４に固着された駒２４ａがガイドレール２５ａに係合している。
【００４４】
その後、図９に示すように、下部カバー２２の前端側が窓枠１と平行な状態になった後に、下部カバー２２が重りとして機能して自重によって図示の下方に落下するとともに、不燃シート５が引き出される。重りとしての下部カバー２２が落下するとき、ガイドワイヤー２４に固着された駒２４ａがガイドレール２５ａに係合しているので、下部カバー２２は窓枠１と平行な状態を保って落下する。
【００４５】
その後、ガイドレール２５ａに係合している駒２４ａがストッパー２６に当接して、図１０に示すように、下部カバー２２の落下が停止する。この停止位置は、下部カバー２２の下端位置となり、適正な状態でサッシ全面を不燃シート５が覆うことになる。この結果、前述した実施例と同様に、不燃シート５によって覆うことにより１０分程度は延長することができる。このため、屋内に被災者がいたとしても、約３０分の避難時間が確保されることになり、人命を守ることが可能となる。
【００４６】
以上、本発明を実施例に基づき具体的に説明したが、本発明は上記実施例に限定されるものではなく、その要旨を逸脱しない範囲で種々変形可能であることは言うまでもない。前述したサッシの材質、形状は一例であり、本発明によるサッシ用遮熱装置は、各種のサッシの材質、形状に合わせるように適合させても良い。また、サッシ用遮熱装置をサッシの外側に設けて、近隣から発生した火災に対応させたが、サッシの屋内に設けて、屋内から発生した火災が近隣へ延焼しないようにしても良い。さらに、温度ヒューズや安全帯は、所定温度で溶断するものであれば、他の形式や材質のものであっても良く、溶断温度も各種サッシに適した温度に合わせて変更しても良い。また、不燃シートは、九十九折状に折り畳んで収納庫に収納する他、ロール状に巻回して収納するようにしても良い。
【産業上の利用可能性】
【００４７】
本発明は、住宅、ビル、公共施設などのあらゆる建築物のサッシに適用される。
【符号の説明】
【００４８】
１    窓枠
１ａ  サッシ上枠
１ｂ  サッシ下枠
１ｃ  上部カバー
２    障子
２ａ  複層ガラス
３    サッシ用遮熱装置
４    収納庫
５    不燃シート
６    重り
６ａ  案内片
７    温度ヒューズ
８ａ  ガイドレール
９    ストッパー
１０  ロープ
１１  ワイヤー
２０  庇
２１  上部カバー
２２  下部カバー
２３  収納庫
２４  ガイドワイヤー
２４ａ駒
２５  サッシ縦枠
２５ａガイドレール
２６  ストッパー
【図１】
2014227781.tif 000003
【図２】
2014227781.tif 000004
【図３】
2014227781.tif 000005
【図４】
2014227781.tif 000006
【図５】
2014227781.tif 000007
【図６】
2014227781.tif 000008
【図７】
2014227781.tif 000009
【図８】
2014227781.tif 000010
【図９】
2014227781.tif 000011
【図１０】
2014227781.tif 000012
【図１１】
2014227781.tif 000013